(57)【特許請求の範囲】
【請求項１】
一枚のブランクシートから一体的に打ち抜かれた箱体形成片からなり、この箱体形成片には複数枚の側面と、一側面の端部に形成された蓋片と、その蓋片に連接され上記側面と反対側に位置した差込片と、上記蓋片と差込片とを区切る折罫線の両端部であって僅かに上記差込片寄りに形成された切り込みと、上記蓋片が形成されている側面に隣接する各側面の端部に連接され上記蓋片に重ねられるフラップと、この各フラップの上記切り込みに対向する縁部に各々設けられ上記切り込みに係止される突部とが設けられ、上記蓋片が形成された側面と対向する側面の両側に位置した二つの折罫線には、上記側面の端部を基点として上記差込片の先端付近に達する長さのミシン線が設けられているととともに、そのミシン線の終点どうしを結ぶ折罫線または断続的な切り線が上記側面に設けられていることを特徴とする開封口付包装用箱。
【発明の詳細な説明】
【０００１】
【発明の属する技術分野】
この発明は、隙間無く商品が収容される包装用箱であって、差込片が側面裏面と糊付された箱の開封を、容易にする機能を有する開封口付包装用箱に関する。
【０００２】
従来、内容物を収容して搬送され、そのまま店頭に陳列されたり、病院、薬局等で使用される包装用箱があり、このような包装用箱は、一枚のブランクシートから一体的に打ち抜かれた箱体形成片を組み立てたものである。この箱体形成片は、平行に連接された４つの側面と、この一側面の両端部に形成された蓋片と、その蓋片が形成された側面に隣接せず対向する側面の端部には、端部を基点とする略四角形のミシン線によって形成された開封口が設けられている。そして、蓋片が形成された側面に隣接する側面の両端部には、２対のフラップが設けられている。
【０００３】
この包装用箱の組立方法は、糊付片を反対側の側面裏面に糊付し、各側面が９０度になるように折り曲げて四角い箱体に組み立てる。そして箱体の一端部の、一対のフラップを側面に対して９０度に折り曲げ、蓋片とそれに連接した差込片を折り曲げ、差込片に糊付けし、蓋片が形成されている側面と対向する側面の内側に、差込片を挿入し閉鎖する。そして内容物を収容後、箱体の他端部も同様に閉鎖する。
【０００４】
【発明が解決しようとする課題】
上記従来の技術の場合、差込片は両方で糊付されているため、開封口を指で押し込み、ミシン線を破ることによって蓋片を開ける。この時、内容物が隙間無く収容されている場合、開封口を指で押し込んでも箱体内部に押し込むことができず、ミシン線が破れないことがあった。
【０００５】
この発明は上記従来の問題点に鑑みてなされたものであり、簡単な構造で開封を容易にする効果を有する包装用箱を提供することを目的とする。
【０００６】
【問題を解決するための手段】
この発明は、一枚のブランクシートから一体的に打ち抜かれた箱体形成片からなり、この箱体形成片には複数枚の側面と、一側面の端部に形成された蓋片と、その蓋片に連接され上記側面と反対側に位置した差込片と、上記蓋片と差込片とを区切る折罫線の両端部であって僅かに上記差込片寄りに形成された切り込みと、上記蓋片が形成されている側面に隣接する各側面の端部に連接され上記蓋片に重ねられるフラップと、この各フラップの上記切り込みに対向する縁部に各々設けられ上記切り込みに係止される突部とが設けられ、上記蓋片が形成された側面と対向する側面の両側に位置した二つの折罫線には、上記側面の端部を基点として上記差込片の先端付近に達する長さのミシン線が設けられているととともに、そのミシン線の終点どうしを結ぶ折罫線または断続的な切り線が上記側面に設けられている開封口付包装用箱。
【０００７】
この発明の開封口付包装用箱は、二つの折罫線に設けられたミシン線と、そのミシン線の終点どうしを結ぶ折罫線に囲まれた部分が開封口になる。商品を収容し差込片に糊を塗布し、開封口内面に糊付され封鎖される。包装用箱を開封するとき、開封口の端部に指を引っかけ、ミシン線を破り、ミシン線の終点どうしを結ぶ折罫線を支点とし、差込片との糊を剥がすことにより、開封することができる。
【０００８】
従来の開封口の様に、箱体内部に開封口を押し込むのではなく、外側に引いて開封するため、内容物が箱体にぎっしり詰まっている場合でも、容易に開封することができる。
【０００９】
【発明の実施の形態】
以下、この発明の実施形態について図面に基づいて説明する。図１はこの発明の一実施形態の開封口付包装用箱１０について示したもので、包装用箱１０は図１に示すように、箱体形成片１２が紙製もしくはプラスチック製の一枚のブランクシートを打ち抜いて形成されている。
【００１０】
この箱体形成片１２は、側面１４、１６、１８、２０が一体に連接して形成されている。さらに組立状態で側面１４の内側に糊付される糊付片２２が、側面２０の側方に連接して形成されている。側面１４、１６、１８、２０、糊付片２２は、各々折罫線２４、２６、２８、３０で区切られている。
【００１１】
側面１６の端部には蓋片４０が連接され、蓋片４０には折罫線５２を介して差込片４４が設けられている。蓋片４０は折罫線４８で側面１６の端部と区切られている。側面１６の他端部には蓋片４２が連接され、蓋片４２には折罫線５４を介して差込片４６が設けられている。蓋片４２は折罫線５０で側面１６の端部と区切られている。
【００１２】
側面１４の端部にはフラップ６０が連接され、フラップ６０は折罫線６８で側面１４と区切られている。側面１４の他端部にはフラップ６２が連接され、フラップ６２は折罫線７０で側面１４と区切られている。
【００１３】
側面１８の端部にはフラップ６４が連接され、フラップ６４は折罫線７２で側面１８と区切られている。側面１８の他端部にはフラップ６６が連接され、フラップ６６は折罫線７４で側面１８と区切られている。
【００１４】
折罫線２８、３０は端部を基点としたミシン線８０、８２となっており、ミシン線８０、８２の終点を結んで側面２０を横切る折罫線８４が設けられている。
【００１５】
次にこの実施形態の包装用箱１０の組立方法について図面に基づいて説明する。なお、ここでは図１がこの箱体形成片１２の表側を見たものであり、図１において紙面表側が凸になる折り方を正折りと称する。まず、糊付片２２に糊３２を塗布する。折罫線２４、２８を正折りし、側面１４の裏面を糊付片２２の表面に糊付する。
【００１６】
次に、折罫線２４、２６、２８、３０を各々９０度になるように正折りして、四角形の箱体にする。フラップ６２を折罫線７０で９０度正折りに、フラップ６６を折罫線７４で９０度に正折りする。差込片４６の表面に糊３２を塗布し、差込片４６を折罫線５４で正折りに、蓋片４２を折罫線５０で正折りにし、差込片４６を側面２０の内側に挿入し、側面２０の内側と糊付する。
【００１７】
次に、商品を、封鎖していない箱体の端部から箱体内部に挿入する。その後、フラップ６０を折罫線６８で９０度に、フラップ６４を折罫線７２で９０度に正折りする。差込片４４の表面に糊３２を塗布し、差込片４４を折罫線５２で正折りに、蓋片４０を折罫線４８で正折りにし、差込片４４を開封口８６の裏面に糊付する。
【００１８】
次に、この包装用箱１０を開封する場合について説明する。中に収容している商品を取り出す時には、まず封口８６の端部に指を引っかけミシン線８０、８２を破断しながら、差込片４４との糊付けを剥がすことによって開封することができる。
【００１９】
【発明の効果】
この発明は簡単な構造で、内容物が隙間無く収容されている場合で、しかも差込片が側面の裏面に糊付されている場合に、開封を容易にするものである。また、ミシン線８０、８２のパターンは適宜変更可能であり、折罫線８４はミシン線等に変更しても問題なく同じ効果がある。
【図面の簡単な説明】
【図１】この発明の一実施形態の包装用箱の箱体形成片の展開図である。
【図２】この発明の開封後の包装用箱の斜視図である。
【符号の説明】
１０ 包装用箱
１２ 箱体形成片
１４、１６、１８、２０ 側面
２２ 糊付片
２４、２６、２８、３０、４８、５０、５２、５４、６８、７０、７２、７４ 折罫線
３２ 糊
４０、４２ 蓋片
６０、６２、６４、６６ フラップ
８０、８２ ミシン線
８４ 折罫線
８６ 開封口
【図１】
0004303982.tif 000002
【図２】
0004303982.tif 000003